(57)【要約】【課題】  エレベータを利用する年齢等に関係なく、また指紋を認証する乗客の人数に関係なく、短時間に認証処理を実施することにある。【解決手段】  乗客の利用階情報と乗客固有の認証検索情報を記憶する無線カード１１ａ〜１１ｃと、乗客の指紋パターンを読み取る指紋検出器１３ａ〜１３ｃと、多数の乗客の指紋認証情報が保存され、無線カードが所定の距離範囲に入ったときに当該無線カードに記憶される情報のうち、認証検索情報に基づいて乗客の指紋認証情報を取り出して待機し、指紋検出器から指紋パターンを受け取ると同時に指紋照合を実施し、真正なエレベータの利用者と認証された際に無線カードから読み取った利用階情報を送出する認証照合手段２１２ｃ及び無線・指紋共通制御装置の設置階情報が記憶され、認証照合手段からの利用階情報と設置階情報とからホール呼び情報を生成する利用階情報変換手段２１３ｃを有する無線・指紋共通制御装置２１ｃとを設けたエレベータセキュリティシステムである。【選択図】      図２
2005096981.tif 000002
【特許請求の範囲】
【請求項１】
エレベータを利用する乗客を認証するエレベータセキュリティシステムにおいて、
エレベータを利用する乗客によって所持され、当該乗客の利用階情報と乗客固有の認証検索情報を記憶する無線カードと、
エレベータの利用時に乗客の指紋パターンを読み取る指紋読取手段と、
エレベータを利用する多数の乗客の指紋認証情報が保存され、前記無線カードを所持する乗客が所定の距離範囲に入ったときに当該無線カードに記憶された利用階情報と乗客固有の認証検索情報とを受信し、この乗客固有の認証検索情報に基づいて前記乗客の指紋認証情報の中から当該乗客の指紋認証情報を取り出し、前記指紋読取手段から送られてくる指紋パターンとの照合処理を即刻可能とする無線・指紋共通制御装置とを備えたことを特徴とするエレベータセキュリティシステム。
【請求項２】
エレベータを利用する乗客を認証するエレベータセキュリティシステムにおいて、
エレベータを利用する乗客によって所持され、当該乗客の利用階情報と乗客固有の認証検索情報を記憶する無線カードと、
エレベータの利用時に乗客の指紋パターンを読み取る指紋読取手段と、
エレベータを利用する多数の乗客の指紋認証情報が保存され、前記無線カードを所持する乗客が所定の距離範囲に入ったときに当該無線カードに記憶される情報のうち、前記認証検索情報に基づいて前記乗客の指紋認証情報を取り出して待機し、前記指紋読取手段から指紋パターンを受け取ると同時に指紋照合を実施し、真正なエレベータの利用者と認証された際に前記無線カードから読み取った乗客の利用階情報を送出する認証照合手段及び当該無線・指紋共通制御装置の設置階情報が記憶され、前記認証照合手段からの利用階情報とこの設置階情報とから各階ホール呼び情報を生成する利用階情報変換手段を有する無線・指紋共通制御装置とを備えたことを特徴とするエレベータセキュリティシステム。
【請求項３】
請求項２に記載のエレベータセキュリティシステムにおいて、
前記無線・指紋共通制御装置が任意階のエレベータホールに設置されている場合、
各無線・指紋共通制御装置の利用階情報変換手段により生成される各階ホール呼び情報をまとめたホール呼び情報として出力するホール呼び情報送出手段と、
予め建物の状況に応じたエレベータ階床情報が記憶され、前記ホール呼び情報送出手段から送られてくるホール呼び情報に対し、前記エレベータ階床情報に基づいて階床を変更してなる階床ホール呼び情報を生成し出力するエレベータインターフェースと、
このエレベータインターフェースから受け取った階床ホール呼び情報に基づいて該当階のホール呼びボタンを点滅させ、真正なエレベータ利用者と認証された乗客のホール呼びボタンの選択を促すエレベータ制御盤とをさらに設けたことを特徴とするエレベータセキュリティシステム。
【請求項４】
エレベータを利用する乗客を認証するエレベータセキュリティシステムにおいて、
エレベータを利用する乗客によって所持され、当該乗客の利用階情報と乗客固有の認証検索情報を記憶する無線カードと、
エレベータの利用時に乗客の指紋パターンを読み取る指紋読取手段と、
エレベータを利用する多数の乗客の指紋認証情報が保存され、前記無線カードを所持する乗客が所定の距離範囲に入ったときに当該無線カードに記憶される情報のうち、前記認証検索情報に基づいて前記乗客の指紋認証情報を取り出して待機し、前記指紋読取手段から指紋パターンを受け取ると同時に指紋照合を実施し、真正なエレベータの利用者と認証された際に前記無線カードから読み取った乗客の利用階情報を送出する認証照合手段及び当該無線・指紋共通制御装置の設置階情報が記憶され、前記認証照合手段からの利用階情報とこの設置階情報とから各階行先階情報を生成する利用階情報変換手段を有する無線・指紋共通制御装置とを備えたことを特徴とするエレベータセキュリティシステム。
【請求項５】
請求項４に記載のエレベータセキュリティシステムにおいて、
前記無線・指紋共通制御装置が任意階のエレベータホールに設置されている場合、
各無線・指紋共通制御装置の利用階情報変換手段により生成される各階別の行先階情報のうち、エレベータの乗場到着による乗場戸開を検出してエレベータ制御盤から発生されるある階の戸開情報に基づき、当該階に対応する前記行先階情報だけを選択して出力する行先階情報送出手段と、
予め建物の状況に応じたエレベータ階床情報が記憶され、前記行先階情報送出手段から送られてくる行先階情報に対し、前記エレベータ階床情報に基づいて階床を変更してなるエレベータ行先階情報を生成し出力するエレベータインターフェースと、
このエレベータインターフェースから受け取ったエレベータ行先階情報に基づいて行先階登録を行う前記エレベータ制御盤とをさらに設けたことを特徴とするエレベータセキュリティシステム。
【請求項６】
請求項１ないし請求項５の何れか一項に記載のエレベータセキュリティシステムにおいて、
前記無線・指紋共通制御装置は、前記無線カードを所持する乗客が所定の距離範囲に入ったときに当該無線カードに記憶された利用階情報と乗客固有の認証検索情報とを受信した際に当該利用階情報を読み込んでスキャン情報として出力する手段と、
この手段から出力されるスキャン情報を受け取り、指紋認証中の乗客が乗り損ねないようにエレベータ制御盤から戸開制御の情報を出力させる手段とを設けたことを特徴とするエレベータセキュリティシステム。
【請求項７】
請求項３又は請求項５に記載のエレベータセキュリティシステムにおいて、
各階のエレベータホールに設置される無線・指紋共通制御装置どうしがイーサネットで接続され、かつ前記エレベータインターフェースに指紋登録用信号を設定するためのメンテナンス用スイッチが設けられ、
ある階の指紋読取手段から指紋を登録する際、前記メンテナンス用スイッチから前記エレベータインターフェースに指紋登録用信号を設定した後、前記指紋読取手段で読み取った乗客の指紋パターンを、前記ある階に設置される無線・指紋共通制御装置に指紋認証情報として保存し、この指紋認証情報を前記イーサネットを用いて他の階に設置される無線・指紋共通制御装置に転送し保存することを特徴とするエレベータセキュリティシステム。
【発明の詳細な説明】
【技術分野】
【０００１】
本発明は、エレベータの利用者を認証する認証機能を備えたエレベータセキュリティシステムに関する。
【背景技術】
【０００２】
近年、中高層建物のセキュリティを確保する観点から、建物に出入りする者の指紋を検出する指紋検出器、予め建物内に居住する居住者の指紋認証情報を登録する指紋登録装置及び指紋検出器から送られてくる指紋検出パターンに基づいて指紋登録装置内に既に登録されている指紋認証情報を照合する指紋照合装置が設けられ、この指紋照合装置にて指紋検出パターンと既登録指紋認証情報とが一致した時、建物の真正な居住者と認証し、建物の玄関ドアを開放するなどの指紋認証システムが開発されている。
【０００３】
このような指紋認証システムでは、建物の高層化や大型化に伴い、指紋登録装置に登録される指紋認証情報が膨大な量となる傾向にある。因みに、建物利用者１００人程度の指紋認証情報を指紋登録装置に登録した場合、その指紋認証時間に７秒程度かかるといった問題がある。
【０００４】
ところで、このような指紋認証機能をエレベータシステムに適用する場合、遅くとも1秒程度で認証結果が得られないと、エレベータ利用者が目的階にスムーズに移動できなくなり、また後続のエレベータ利用者に迷惑をかけるなどの問題が出てくる。
【０００５】
そこで、エレベータシステムの中には、エレベータ利用者の指紋を速やかに認証する指紋認証機能を備えたエレベータセキュリティシステムが提案されている（特許文献１）。
【０００６】
このセキュリティシステムは、乗りかご内のかご操作盤に行先階登録ボタン，戸開・戸閉ボタンの他に、指紋検出器，テンキーが設けられ、さらにかご操作盤内にエレベータ利用者の指紋認証情報を登録する指紋登録装置及び指紋検出器からの指紋検出パターンに基づいて指紋登録装置内の指紋認証情報と照合する指紋照合装置が設けられている。
【０００７】
このシステムでは、指紋認証情報をグループ分けし、各グループごとにキーワードを割付け、テンキー又はテンキー代わりに使用する行先階登録ボタンからキーワードを入力し、このキーワードからグループを割り出した後、指紋検出器からの指紋検出パターンと割り出したグループ内の指紋認証情報とを照合し、真正なエレベータ利用者を高速的に認証する方法である。
【特許文献１】特開平１１−２８６３７８号公報
【発明の開示】
【発明が解決しようとする課題】
【０００８】
ところで、以上のようなエレベータセキュリティシステムでは、エレベータホール又は乗りかご内にテンキーを設置した場合、指紋検出器等に比べて、テンキー自体が大きなものとなり、取り付けスペースの制約を受けたり、ユーザが意匠面から好まない場合もあるなど、なかなか採用し難い問題が出てくる。また、子供やお年寄りなどはテンキーによるキーワード入力操作が難しい場合がある。
【０００９】
その結果、テンキーを設置せず、かつ指紋認証処理を高速的に実現する場合、せいぜい２０〜３０人程度の小規模建物にしか適用できないことになり、指紋認証機能の普及の妨げとなっている。
【００１０】
さらに、指紋認証機能をもったエレベータセキュリティシステムでは、指紋を読み取る行為が必要であり、どうしても一人ずつしか指紋を認証することができない問題があり、このことはエレベータを利用する各乗客の行動によって大きく左右され、例えば複数人の乗客が乗りかごに乗込んだ後、１人の乗客の認証後、引き続き、別の乗客が認証する操作を行う場合、当該認証操作を行っている間に当該別の乗客の行きたい階を通り過ぎてしまうといった問題がある。
【００１１】
また、専門メーカから指紋認証装置などを購入してセキュリティシステムを構築した場合、各専門メーカごとに指紋認証装置側の出力信号が異なるので、エレベータ制御盤側では当該メーカに合わせたプログラムや客先要求に応じたオペレーションを作り上げる必要があり、セキュリティのニーズが高まるほど、設計費や制作費などが増大してくる傾向にある。
【００１２】
さらに、指紋認証機能をもったエレベータセキュリティシステムでは、個人認証が可能であることから、エレベータ制御盤側のオペレーションもホール不停止解除、ホール行先階登録、かご内不停止解除、かご内行先階登録などの多様な客先要求が増えてくるが、それに伴ってエレベータの処理上の負担が多くなり、本来エレベータを制御するためのリソースを食いつぶしてしまう状態が生じてしまう。例えば２４階床の高層ビルにおいて、客先から全階床のホール行先階登録のオペレーションが要求された場合、各階ホールからの行先階登録情報を順番に記憶する必要があるので、各ホールの状態全てを記憶しておく記憶エリアをもつ記憶装置が必要となり、この場合には２４階床×行先階２４階床分のエリアが必要となる。また、それらの情報を的確に整理し処理するためには、エレベータの制御に多大な負荷がかかる問題がある。
【００１３】
本発明は上記事情に鑑みてなされたもので、年齢等の制約を受けることなく簡潔、かつ利便性を高めて利用でき、また客先ニーズに容易に対応可能なエレベータセキュリティシステムを提供することを目的とする。
【課題を解決するための手段】
【００１４】
（１）  上記課題を解決するために、本発明に係るエレベータセキュリティシステムは、エレベータを利用する乗客によって所持され、当該乗客の利用階情報と乗客固有の認証検索情報を記憶する無線カードと、エレベータの利用時に乗客の指紋パターンを読み取る指紋読取手段と、エレベータを利用する多数の乗客の指紋認証情報が保存され、前記無線カードを所持する乗客が所定の距離範囲に入ったときに当該無線カードに記憶された利用階情報と乗客固有の認証検索情報とを受信し、この乗客固有の認証検索情報に基づいて前記乗客の指紋認証情報の中から当該乗客の指紋認証情報を取り出し、前記指紋読取手段から送られてくる指紋パターンとの照合処理を即刻可能とする無線・指紋共通制御装置とを設けた構成である。
【００１５】
この発明は以上のような構成とすることにより、無線カードを所持する乗客が所定のエリアに入ると、受信アンテナが無線カードに記憶された利用階情報と乗客固有の認証検索情報とを受信し、無線・指紋共通制御装置に送出する。この無線・指紋共通制御装置では、既に登録されている多数の乗客の指紋認証情報の中から乗客固有の認証検索情報に基づいて乗客の指紋認証情報を取り出して待機しているので、前記指紋読取手段から指紋パターンが送られてくると、即照合処理を実施でき、多数の指紋認証情報が登録されていても、高速度に指紋認証し、後続の乗客に与える影響を極力低減できる。
【００１６】
（２）  また、本発明に係るエレベータセキュリティシステムは、エレベータを利用する乗客によって所持され、当該乗客の利用階情報と乗客固有の認証検索情報を記憶する無線カードと、エレベータの利用時に乗客の指紋パターンを読み取る指紋読取手段と、エレベータを利用する多数の乗客の指紋認証情報が保存され、前記無線カードを所持する乗客が所定の距離範囲に入ったときに当該無線カードに記憶される情報のうち、前記認証検索情報に基づいて前記乗客の指紋認証情報を取り出して待機し、前記指紋読取手段から指紋パターンを受け取ると同時に指紋照合を実施し、真正なエレベータの利用者と認証された際に前記無線カードから読み取った乗客の利用階情報を送出する認証照合手段及び当該無線・指紋共通制御装置の設置階情報が記憶され、前記認証照合手段からの利用階情報とこの設置階情報とから各階ホール呼び情報を生成する利用階情報変換手段を有する無線・指紋共通制御装置とを設けた構成である。
【００１７】
この発明は以上のような構成とすることにより、多数の指紋認証情報が登録されていても高速度に指紋認証できるだけでなく、真正なエレベータの利用者と認証された場合には無線カードから読み取った乗客の利用階情報と無線・指紋共通制御装置の設置階情報とを論理演算し各階ホール呼び情報を生成し出力するので、年齢等の制約を受けることなく、自動的に各階ホール呼び情報を生成し、エレベータ制御盤に通知することが可能となる。
【００１８】
（３）  さらに、本発明に係るエレベータセキュリティシステムは、前記無線・指紋共通制御装置が任意階のエレベータホールに設置されている場合、前記（２）の構成に新たに、各無線・指紋共通制御装置の利用階情報変換手段により生成される各階ホール呼び情報をまとめたホール呼び情報として出力するホール呼び情報送出手段と、予め建物の状況に応じたエレベータ階床情報が記憶され、前記ホール呼び情報送出手段から送られてくるホール呼び情報に対し、前記エレベータ階床情報に基づいて階床を変更してなる階床ホール呼び情報を生成し出力するエレベータインターフェースと、このエレベータインターフェースから受け取った階床ホール呼び情報に基づいて該当階のホール呼びボタンを点滅させ、真正なエレベータ利用者と認証された乗客のホール呼びボタンの選択を促すエレベータ制御盤とを設けることにより、各階ホール呼び情報をまとめたホール呼び情報に対し、建物のエレベータ階床情報を考慮し、階床を変更した階床ホール呼び情報を生成し、エレベータ制御盤に送出するので、該当階のホール呼びボタンを点滅させ、真正なエレベータ利用者と認証された乗客のホール呼びボタンの選択を促すことができ、年齢等の制約を受けることなく、また客先ニーズに容易に対応可能なエレベータセキュリティシステムを実現できる。
【００１９】
（４）  さらに、本発明に係るエレベータセキュリティシステムは、エレベータを利用する乗客によって所持され、当該乗客の利用階情報と乗客固有の認証検索情報を記憶する無線カードと、エレベータの利用時に乗客の指紋パターンを読み取る指紋読取手段と、エレベータを利用する多数の乗客の指紋認証情報が保存され、前記無線カードを所持する乗客が所定の距離範囲に入ったときに当該無線カードに記憶される情報のうち、前記認証検索情報に基づいて前記乗客の指紋認証情報を取り出して待機し、前記指紋読取手段から指紋パターンを受け取ると同時に指紋照合を実施し、真正なエレベータの利用者と認証された際に前記無線カードから読み取った乗客の利用階情報を送出する認証照合手段及び当該無線・指紋共通制御装置の設置階情報が記憶され、前記認証照合手段からの利用階情報とこの設置階情報とから各階行先階情報を生成する利用階情報変換手段を有する無線・指紋共通制御装置とを設けた構成である。
【００２０】
この発明は以上のような構成とすることにより、真正なエレベータの利用者と認証された際に無線カードから読み取った乗客の利用階情報と設置階情報とから各階行先階情報を生成することができる。
【００２１】
そして、無線・指紋共通制御装置が任意階のエレベータホールに設置されている場合、
各無線・指紋共通制御装置の利用階情報変換手段により生成される各階別の行先階情報のうち、エレベータの乗場到着による乗場戸開を検出してエレベータ制御盤から発生されるある階の戸開情報に基づき、当該階に対応する前記行先階情報だけを選択して出力する行先階情報送出手段と、予め建物の状況に応じたエレベータ階床情報が記憶され、前記行先階情報送出手段から送られてくる行先階情報に対し、前記エレベータ階床情報に基づいて階床を変更してなるエレベータ行先階情報を生成し出力するエレベータインターフェースと、このエレベータインターフェースからエレベータ行先階情報を受け取るエレベータ制御盤とを付加することにより、自動的に行先階登録を行うことができる。
【００２２】
その結果、客先のニーズに合せて、エレベータ制御盤が前記（３）による階床ホール呼びボタンの点滅や行先階登録などのオペレーションを柔軟に対応させることができる。
【発明の効果】
【００２３】
本発明は、エレベータを利用する年齢等に関係なく、また指紋を認証する乗客の人数に関係なく、短時間に認証処理を実施できる。
【００２４】
また、本発明は、エレベータの処理負担を大幅に低減できるだけでなく、エレベータホール呼び情報とエレベータ行先階情報との形式を統一化することにより、エレベータ制御盤では幾つかのオペレーションを標準化しておき、客先のニーズに合せてオペレーションを組合せるなどの柔軟な対応をとることができる。
【発明を実施するための最良の形態】
【００２５】
以下、本発明の実施の形態について図面を参照して説明する。
【００２６】
図１は本発明に係るエレベータセキュリティシステムの一実施の形態を示す構成図である。
【００２７】
このシステムは、各階に対応するエレベータホール例えば１０ａ〜１０ｃと、各エレベータホール１０ａ〜１０ｃに対応関係をもって設置されるエレベータ階ボックス２０ａ〜２０ｃと、複数のエレベータ階ボックス例えば２０ｂ，２０ｃから出力される情報を特定の１つのエレベータ階ボックス例えば２０ａを経由して集中的に取り込むように接続されたエレベータ制御盤３０と、乗りかご４０と、メンテナンス用スイッチボックス５０とによって構成されている。なお、特定の１つのエレベータ階ボックス例えば２０ａ、エレベータ制御盤３０及び乗りかご４０等は昇降路６０内に配置されている。
【００２８】
エレベータホール１０ａ〜１０ｃには、エレベータを利用する乗客が所持する無線カード１１ａ〜１１ｃが存在し、この無線カード１１ａ〜１１ｃには利用階情報及び乗客固有の指紋等の認証検索情報が記憶され、この利用階情報及び乗客固有の指紋等の認証検索情報を各階に設置される受信アンテナ１２ａ〜１２ｃで受信する構成となっている。また、エレベータホール１０ａ〜１０ｃには、エレベータを利用する乗客の指紋パターンを読み取る指紋検出器１３ａ〜１３ｃ及びホール呼びボタン１４ａ〜１４ｃが設置されている。これら各ホール呼びボタン１４ａ〜１４ｃは伝送ラインを介してエレベータ制御盤３０に接続されている。
【００２９】
前記エレベータ階ボックス２０ａ〜２０ｃは、それぞれ受信アンテナ１２ａ〜１２ｃから受信される利用階情報及び認証検索情報と指紋検出器１３ａ〜１３ｃで読み取った乗客の指紋パターンとを用いて、高速度に乗客が真正なエレベータ利用者であるか否かを認証し、かつ、乗客が真正なエレベータ利用者であれば前記利用階情報から最終的にホール呼び情報を生成する無線・指紋共通制御装置２１ａ〜２１ｃが設けられ、またエレベータ階ボックス２０ｂには各無線・指紋共通制御装置２１ｂ，２１ｃの各出力情報を無線・指紋共通制御装置２１ａに導くためのカスケード接続用ハブ（Ｈｕｂ）２２が設けられ、さらにエレベータ階ボックス２０ａには各無線・指紋共通制御装置２１ａ〜２１ｃの各出力情報をエレベータ制御盤３０に導くエレベータインターフェース２３、指紋登録・更新判定部２４が設けられている。
【００３０】
前記乗りかご４０にはエレベータかご内スイッチ４１が設けられ、一方、メンテナンス用スイッチボックス５０には、テンキー５１、メンテナンス用スイッチ５２〜５５が設けられている。このテンキー５１は取外し可能に装着され、例えば無線・指紋共通制御装置２１ａに登録されている例えば指紋認証情報を他の無線・指紋共通制御装置２１ｂ，２１ｃに転送指示するときなどに用いられる。メンテナンス用スイッチ５２〜５５は、複数のスイッチの組合せ操作によって指紋登録条件信号を指紋登録・更新判定部２４に送出する。
【００３１】
この指紋登録・更新判定部２４は、複数のスイッチの組合せ操作による指紋登録条件信号から例えば指紋登録と判定すれば、エレベータインターフェース２３に通知する。このエレベータインターフェース２３は、各無線・指紋共通制御装置２１ａ〜２１ｃから出力される情報をエレベータ制御盤３０に入らないように阻止する働きをする。
【００３２】
次に、以上のようなシステムの動作について図２を参照して説明する。
【００３３】
図２は図１の一部の構成を詳細化した図であって、特に情報（利用階情報）の流れに着目して説明する図である。また、エレベータ制御盤３０のオペレーションはホール不停止解除に設定されているものとする。また、無線カード１１ａ〜１１ｃには乗客が利用する利用階情報の他、乗客を認証するための例えば指紋などの認証情報，認証識別情報などの認証検索情報が記憶され、所定距離範囲のエリアに入ったとき、無線カード１１ａ〜１１ｃに記憶される利用階情報及び認証検索情報を受信アンテナ１２ａ〜１２ｃで受信できる構成となっている。因みに、図２に示す無線カード１１ｃには利用階情報「１００１０」が記憶されているものとする。この利用階情報「１００１０」の意味するところは、左側から右側に順次１階、２階、３階、４階、５階を表し、そのうち「１］は利用可能階情報であり、「０」は利用不可能階情報を意味する。つまり、この無線カード１１ｃを所持する乗客は１階と４階を利用階とする乗客であることを表している。一方、無線カード１１ａ〜１１ｃに記憶される認証検索情報は、セキュリティを保持する観点から暗号化され、目に見える形になっていないので、ここではその説明を省略する。
【００３４】
そこで、以上のような前提のもとに、利用階情報「１００１０」を記憶する無線カード１１ｃを所持する乗客Ａが４階ホール例えば１０ｃに来た場合について説明する。
【００３５】
乗客Ａが４階ホール１０ｃに来たとき、ホール呼びボタン１４ｃがエレベータ制御盤３０のオペレーションによって不停止の状態にあるので、当該乗客Ａがホール呼びボタン１４ｃを選択操作することができない。
【００３６】
この状態において、エレベータを利用する乗客Ａが無線カード１１ｃを所持してホール１０ｃに設置される無線アンテナ１２ｃに近づくと、当該無線カード１１ｃ内に格納されている利用階情報と認証検索情報とが無線にて受信アンテナ１２ｃで受信され、無線・指紋共通制御装置２１ｃに送られる。つまり、無線カード１１ｃから利用階情報と認証検索情報とを1対１の関係で送信し、無線・指紋共通制御装置２１ｃでは、無線カード１１ｃの情報を利用して迅速な指紋認証準備処理と真正な乗客と認証された際に直ちに利用階情報を用いて各階ホール呼び情報を生成する処理を行うものである。
【００３７】
この無線・指紋共通制御装置２１ｃは、受信アンテナ１２ｃで受信される利用階情報と認証検索情報のうち、当該認証検索情報から乗客Ａがエレベータを利用できる真正な乗客か否かを認証するものであって、具体的には、建物の該当階居住者などエレベータを利用する乗客の指紋認証情報を記憶する認証情報記憶部２１１ｃ及び認証照合部２１２ｃが設けられ、この認証照合部２１２ｃは、受信アンテナ１２ｃで受信された無線カード１１ｃ内の認証検索情報に基づいて認証情報記憶部２１１ｃの中から乗客の指紋認証情報だけを取り出して準備し、同一のエレベータホール１０ｃに設置される指紋検出器１３ｃから乗客Ａの指紋パターンを受けた時に直ちに指紋認証情報と照合し、乗客が真正なエレベータ利用者か否かを認証する。なお、認証情報記憶部２１１ｃに格納される指紋認証情報は、エレベータを利用できる乗客自身の指紋情報とか、或いは指紋識別情報と指紋情報とを関係付け記憶し、受信アンテナ１２ｃで受信された認証検索情報と指紋識別情報との関係から指紋情報を抽出するものである。
【００３８】
認証照合部２１２ｃは、無線カード１１ｃ内の認証検索情報のもとに準備された１つの指紋認証情報と指紋検出器１３ｃから送信されてくる乗客Ａの指紋パターンとを比較し、これら指紋認証情報と指紋パターンが一致した時、無線カード１１ｃから読み取った利用階情報「１００１０」（Ｓ１ｃ）を利用階情報変換部２１３ｃに送出する。
【００３９】
この利用階情報変換部２１３ｃには例えば「０００１０」なる設置階情報（Ｓ２ｃ）を記憶する設置階情報記憶部２１４ｃが接続されている。この設置階情報「０００１０」の意味するところは、左側から右側に順次１階、２階、３階、４階、５階を表しており、そのうち「１］となっているところが設置階となっている。この例では、４階に無線・指紋共通制御装置２１ｃが設置されていることを意味する。
【００４０】
そこで、利用階情報変換部２１３ｃでは、利用階情報Ｓ１ｃと設置階情報Ｓ２ｃとの論理演算を実行し、各階ホール呼び情報Ｓ３ｃである「０００１０」を生成する。この各階ホール呼び情報「０００１０」の意味するところは、左側から右側に順次１階、２階、３階、４階、５階を表しており、４階に「１］が示されている。
【００４１】
このことは、利用階情報変換部２１３ｃは、利用階情報「１００１０」と設置階情報「０００１０」とに基づき、真正と認証した乗客Ａが４階からホール呼びを発生させたことを表す各階ホール呼び情報「０００１０」（Ｓ３ｃ）に変換し、無線・指紋共通制御装置２０ｂのハブ２２（図示せず）を介して例えば昇降路６０側に配置される無線・指紋共通制御装置２１ａに送出する。その結果、エレベータ制御盤３０としては、乗客Ａの所持する無線カード１１ｃから発せられた利用階情報から４階ホール呼びが発生したことを容易に検出することができる。
【００４２】
また、仮に、無線・指紋共通制御装置２１ｃが１階に設置され、乗客Ａが同一の無線カード１１ｃを所持して指紋認証を行った場合、設置階情報記憶部２１４ｃの設置階情報は「１００００」となるので、前述する論理積演算の結果、１階のホール呼びが発生されたことを簡単に検知することができる。また、同様に無線・指紋共通制御装置２１ｃが３階に設置され、乗客Ａが同一の無線カード１１ｃを所持して指紋認証を行った場合、設置階情報記憶部２１４ｃの設置階情報は「００１００」となるので、前述する論理演算の結果、各階ホール呼情報が「０００００」となり、いわゆる乗客Ａが３階からのホール呼びが阻止されてしまう。つまり、乗客Ａは利用階情報「１００１０」を記憶する無線カード１１ｃを所持して指紋認証を行った場合、３階に設置する無線・指紋共通制御装置２１ｃを通して認証した場合、３階ホール呼びを阻止することができる。つまり、無線カード１１から少なくとも３階が停止可能階となっていない為である。
【００４３】
そして、以上のようにして各無線・指紋共通制御装置２１ｂ，２１ｃ，…で生成された各階ホール呼び情報は例えばイーサネットの信号となり、ハブ２２を利用し、無線・指紋共通制御装置２１ａに送られ、ここで複数の各階ホール呼び情報Ｓ３ａ〜Ｓ３ｃをまとめたホール呼び情報Ｓ３となり、エレベータインターフェース２３を通ってエレベータ制御盤３０に送られる。
【００４４】
なお、エレベータインターフェース２３は、エレベータ階床変換部２３１及びエレベータ階床情報記憶部２３２が設けられている。エレベータ階床変換部２３１は、入力されるホール呼び情報Ｓ３に対し、エレベータを設置する建物や設置場所等によって中間階や急行ゾーンなどが存在する場合にエレベータ制御盤３０で階床の処理方法が異なることから、エレベータ階床情報記憶部２３２に記憶されるエレベータ階床情報をもとに階床を変換し、エレベータ階床ホール呼びデータＳ４を生成し、エレベータ制御盤３０に送出する。
【００４５】
このエレベータ制御盤３０は、乗りかご４０を運行制御するものであって、エレベータ階床ホール呼び情報Ｓ４を受け取ると、各階にて真正なエレベータ利用者と認証された乗客の対象ホール１０ａ〜１０ｃ（一例では１０ｃ）のホール呼びボタン１４ｃを点滅させ、乗客Ａによるホール呼びボタン１４ｃの選択を促すものである。
【００４６】
その後、乗客はホール呼びボタン１４ａ〜１４ｃの点滅中に該当階のボタン例えば１４ｃを選択すると、その選択されたホール呼びボタン１４ｃを点灯させ、当該ボタン操作階にエレベータを応答させる。なお、ホール呼びボタン１４ａ〜１４ｃの点滅中にボタン選択しない場合には自動的にキャンセルされる。
【００４７】
ところで、指紋検出器１３ａ〜１３ｃを備えた指紋認証装置では、必ず乗客一人ずつの指紋認証であること、またエレベータは先に認証した乗客をサービスしょうとするので、次に続く乗客のサービスがおろそかになり、不都合な問題を起こしてしまうことは前述した通りである。
【００４８】
そこで、このエレベータセキュリティシステムでは、図２に示すように無線・指紋共通制御装置２１ｃの認証照合部２１２ｃの出力側に無線カード１１ｃに格納される利用階情報を読み込んだことを検出し、スキャン中情報Ｓ１１ｃを生成するスキャン中読取部２１５ｃが設けられている。このスキャン中情報Ｓ１１ｃは、イーサネットに利用可能に変換され、無線・指紋共通制御装置２１ａのエレベータインターフェース２３を経由し、エレベータ制御盤３０に送られ、ここでホール側の扉を閉じないように制御する。これによって、指紋認証中の乗客が乗り損ねないようにすることができる。
【００４９】
次に、本発明に係るシステムを用いて、指紋の登録・更新を行う例について説明する。
【００５０】
通常、建物の居住者ないしエレベータを利用する乗客は頻繁に変更することから、指紋の登録・更新をスムーズに行う必要がある。
【００５１】
このシステムは、具体的には、取外し可能に装着されるテンキー５１及びメンテナンス用スイッチ５２〜５５からなるメンテナンス用スイッチボックス５０が設けられている。テンキー５１は取外し可能に設けられ、他のスイッチ５２〜５５は常備設置となる。スイッチ５２は平常側端子及び設定側端子を有し、スイッチ５３は切り側端子及び削除側端子を有し、スイッチ５４は切り側端子及び登録側端子を有し、これらスイッチ５２〜５４は指紋の登録や更新に用いられる。スイッチ５５は平常側端子及び特殊側端子を有し、強制運転の実行時に用いられる。
【００５２】
先ず、指紋を登録する際、スイッチ５２を設定側端子に閉操作した後、スイッチ５４を登録側端子に閉操作し、指紋登録条件信号を指紋登録・更新判定部２４に送出する。ここで、指紋登録・更新判定部２４は、指紋登録条件信号から指紋登録と判定すれば、エレベータインターフェース２３に通知する。このエレベータインターフェース２３は、各無線・指紋共通制御装置２１ａ〜２１ｃから出力される情報をエレベータ制御盤３０に入らないように阻止する働きをする一方、例えば指紋検出器１３ａで乗客の指紋を読み取り、無線・指紋共通制御装置２１ａの認証照合部２１２ｃを通して認証情報記憶部２１１ｃに登録する。また、無線カードと併用して使用する場合、前述する指紋読取り時に同時に無線カード１１ａを受信アンテナ１２ａに近づけ、利用階情報と認証関連情報とを関連付けて認証情報記憶部２１１ｃに登録してもよい。
【００５３】
なお、無線・指紋共通制御装置２１ａの認証情報記憶部２１１ａ（図示せず）に登録された指紋認証情報はイーサネットを利用し、ハブ２２を介して他の無線・指紋共通制御装置２１ｂ，２１ｃの認証情報記憶部２１１ｂ，２１１ｃに転送記憶し、エレベータ利用者が各階別に登録せずに利用可能にすることができる。
【００５４】
そして、指紋認証情報の登録後、スイッチ５２を設定側端子から切り離して平常側端子側とし、またスイッチ５４を登録側端子から切り離して切り側端子とすることにより、指紋登録を完了する。
【００５５】
メンテナンス用スイッチボックス５０には前述するように平常側端子及び特殊側端子を有するスイッチ５５が設けられ、また乗りかご４０内にも平常側端子及び特殊側端子を有するエレベータかご内スイッチ４１が設けられている。これらのスイッチ５５及び４１は、万が一指紋認証装置が壊れたような場合、基本的にはエレベータを運転させないが、どうしても管理人がエレベータを動作させたい場合には、管理人がスイッチ５５及び４１を特殊側端子から切り離して平常側端子とすることにより、エレベータを通常運転可能に設定する。つまり、指紋認証機能を無視してエレベータを通常運転で動作させることができる。
【００５６】
図３は本発明に係るエレベータセキュリティシステムの他の実施の形態を説明する図である。
【００５７】
前述する図２ではエレベータ制御盤３０側のオペレーションがホール不停止解除の一例として説明したが、この実施の形態である図３では、ホール行先階登録の例について説明する。なお、システムの全体構成は図１とほぼ同様な構成であるので、詳しくは図１の説明に譲る。
【００５８】
このシステムにおいて、特に異なるところは、無線・指紋共通制御装置２１ａ〜２１ｃの一部の構成ないし処理が異なるものである。具体的には、無線・指紋共通制御装置２１ａ〜２１ｃの利用階情報変換部２１３ａ〜２１３ｃ（２１３ａ，２１３ｂは図示せず）では、認証照合部例えば２１２ｃから出力される利用階情報「１００１０」Ｓ１ｃと設置階情報記憶部２１４ｃの設置階情報「０００１０」Ｓ２ｃとを例えば論理積等の論理演算処理をしたが、この実施の形態では、設置階情報「０００１０」Ｓ２ｃを反転処理部２１６ｃで反転処理した情報「１１１０１」Ｓ５ｃを取り出し、この反転情報「１１１０１」と利用階情報「１００１０」との論理演算（例えば論理積演算）処理を実行し、各階行先階情報「１００００」Ｓ６ｃを生成することができる。
【００５９】
この各階行先階情報Ｓ６ｃは、無線・指紋共通制御装置２１ｂのハブ２２を通って無線・指紋共通制御装置２１ａに送られる。この無線・指紋共通制御装置２１ａには、各階の無線・指紋共通制御装置２１ａ〜２１ｃの各階行先階情報Ｓ６ａ〜Ｓ６ｃが集められている。
【００６０】
図２に示すホール不停止解除の場合、１つのホール呼び情報Ｓ４にまとめたが、本実施の形態例における行先階登録の場合には各階として情報をもつ必要があることから、１つのまとまった情報とせずに各階ごとの個別情報とし、所定のタイミングのもとにエレベータインターフェース２３に送出する。
【００６１】
この所定のタイミングの信号はエレベータ制御盤３０によって生成される。すなわち、エレベータ制御盤３０は、乗りかご４０がある階に到着して戸開したとき、当該階の乗場戸が開放するので、その乗場戸開放を検知し、当該階の戸開情報Ｓ２１ａ〜Ｓ２１ｃをエレベータインターフェース２３経由で無線・指紋共通制御装置２１ａにタイミング信号を送出する。
【００６２】
従って、無線・指紋共通制御装置２１ａは、エレベータ制御盤３０から送られてくるある階の戸開情報例えばＳ２１ｃに基づき、当該階に対応する行先階情報Ｓ６ｃを出力し、エレベータインターフェース２３に送出する。
【００６３】
このエレベータインターフェース２３では、エレベータ階床変換部２３１及びエレベータ階床情報記憶部２３２が設けられ、このエレベータ階床情報記憶部２３２には建物や設置場所等によって中間階や急行ゾーンなどが存在する場合にエレベータ制御盤３０で階床の処理方法が異なることから、運行に対処できるようにエレベータ階床情報が格納されている。
【００６４】
そこで、エレベータインターフェース２３のエレベータ階床変換部２３１は、入力される行先階情報Ｓ６ｃに対し、エレベータ階床情報記憶部２３２のエレベータ階床情報のもとにエレベータ行先階情報Ｓ２２に変換し、エレベータ制御盤３０に送る。このエレベータ制御盤３０は、戸開時に行先階登録を行えるので、各エレベータホールから乗り込んだ乗客の希望通りの行先を登録することができる。
【００６５】
従って、以上のような実施の形態によれば、指紋読取り前に無線カードに記憶される認証検索情報から乗客の指紋認証情報を選択し、当該乗客の指紋パターンが来るのを待機しているので、指紋パターンを読み取った瞬間に真正なエレベータ利用者か否かを認証でき、エレベータを利用する年齢等に関係なく、また指紋を認証する乗客の人数に関係なく、短時間に認証処理を実施できる。
【００６６】
また、エレベータ制御盤３０による処理外で乗客の指紋認証情報を選択するので、エレベータの処理負担を大幅に低減できるだけでなく、エレベータホール呼び情報とエレベータ行先階情報との形式を統一化することにより、エレベータ制御盤では幾つかのオペレーションを標準化しておき、客先のニーズに合せてオペレーションを組合せるなどの柔軟な対応をとることができる。
【００６７】
なお、上記実施の形態では、エレベータホールにおける指紋の認証について説明したが、かご内における指紋の認証であっても１階床の構成をとることで簡単に拡張できる。また、上記実施の形態では、１階ないし数階までの例について説明したが、階床が増える従って例えば無線・指紋共通制御装置を増やすことにより、高層階に適用できることは言うまでもない。
【００６８】
その他、本発明は、上記実施の形態に限定されるものでなく、その要旨を逸脱しない範囲で種々変形して実施できる。
【００６９】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００７０】
【図１】本発明に係るエレベータセキュリティシステムの一実施の形態を示す構成図。
【図２】オペレーションがホール不停止解除した場合の一例を説明する図。
【図３】オペレーションがホール行先階登録とした場合の一例を説明する図。
【符号の説明】
【００７１】
１０ａ〜１０ｃ…エレベータホール、１１ａ〜１１ｃ…無線カード、１２ａ〜１２ｃ…受信アンテナ、１３ａ〜１３ｃ…指紋検出器、１４ａ〜１４ｃ…各ホール呼びボタン、２０ａ〜２０ｃ…エレベータ階ボックス、２１ａ〜２１ｃ…無線・指紋共通制御装置、２２…ハブ、２３…エレベータインターフェース、２４…指紋登録・更新判定部、３０…エレベータ制御盤、４０…乗りかご、４１…エレベータかご内スイッチ、５０…メンテナンス用スイッチボックス、５１…テンキー、５２〜５５…メンテナンス用スイッチ、６０…昇降路、２１１ｃ…認証情報記憶部、２１２ｃ…認証照合部、２１３ｃ…利用階情報変換部、２１４ｃ…設置階情報記憶部、２１５ｃ…反転処理部、２３１…エレベータ階床変換部、２３２…エレベータ階床情報記憶部。
【図１】
2005096981.tif 000003
【図２】
2005096981.tif 000004
【図３】
2005096981.tif 000005